(57)【特許請求の範囲】
【請求項１】
薬用保冷庫において、前面に開口を有する略直方体状であり、断熱性を有する保冷庫本体と、前記開口を開閉可能な扉と、前記保冷庫本体の庫内奥部に、前記保冷庫本体の背壁に沿って縦方向に冷却室を形成する縦仕切り板と、前記冷却室内に収容された冷却器と、前記冷却室内の前記冷却器より高い位置に設けられ、前記冷却器で冷却された冷気を前記庫内に循環する冷気循環用送風機と、を備え、前記縦仕切り板には、前記冷気循環用送風機と対向する位置にあって前記冷気循環用送風機より前記庫内の冷気を吸い込む冷気吸い込み口と、前記冷却器よりも低い左右位置にあって前記庫内前部へ向けて冷気を吹き出す前向き冷気吹き出し口と、前記前向き冷気吹き出し口よりも低い位置にあって前記冷却室の下方から前記庫内底部へ向けて冷気を吹き出す下向き冷気吹き出し口と、が設けられ、前記前向き冷気吹き出し口は、前記前向き冷気吹き出し口から吹き出す冷気循環量が、前記下向き冷気吹き出し口から吹き出す冷気循環量に比して大きくなるように、前記下向き冷気吹き出し口よりも大きく形成されることを特徴とする。
【請求項２】
請求項１に記載の薬用保冷庫において、前記前向き冷気吹き出し口に取り付けられ、前記前向き冷気吹き出し口から吹き出す冷気を規制する複数の風向板を有する吹き出し口部材を備え、前記前向き冷気吹き出し口は、少なくとも一部が前記庫内の上下間中央より低い位置に設けられ、前記複数の風向板は、前記吹き出す冷気の向きが斜め上方となるように、前記扉の上下間中央より上部へ向かって所定の角度で傾斜していることを特徴とする。
【請求項３】
請求項２に記載の薬用保冷庫において、前記下向き冷気吹き出し口は、左右全幅から吹き出す冷気量が前記庫内の左右幅に亘って略均衡するように、前記前向き冷気吹き出し口に対応する下方部分が大きく且つ前記前向き冷気吹き出し口間に対応する部分が狭く形成されていることを特徴とする。
【請求項４】
請求項２または請求項３に記載の薬用保冷庫において、前記複数の風向板は、下部の風向板よりもその上方の風向板の前記庫内側への張り出しが徐々に長くなるように形成されていることを特徴とする。
【請求項５】
請求項２または請求項３に記載の薬用保冷庫において、前記前向き冷気吹き出し口と前記吹き出し口部材との間に設けられる角度変更部材を備え、前記角度変更部材は、前記複数の風向板の傾斜角度が前記所定の角度より下向きに変更された角度を保つ状態で、前記角度変更部材の全周が前記前向き冷気吹き出し口の周縁に当接して前記前向き冷気吹き出し口に取り付けられることを特徴とする。
【請求項６】
請求項３に記載の薬用保冷庫おいて、前記前向き冷気吹き出し口は、前記冷気吸い込み口の真下を外れた左右位置にそれぞれ形成され、前記下向き冷気吹き出し口は、前記冷気吸い込み口の真下に対応する中央吹き出し部と、前記前向き冷気吹き出し口の下方に対応する左右吹き出し部と、を有し、前記前向き冷気吹き出し口と前記下向き冷気吹き出し口とは、前記庫内の上下寸法を４等分したときの上から３番目の第３領域に配置されることを特徴とする。
【発明の詳細な説明】
【技術分野】
【０００１】
本開示技術は、ワクチン、薬品、試料等を収容して低温に維持しつつ保管する薬用保冷庫に関する。
【背景技術】
【０００２】
従来から存在する薬用保冷庫は、保冷庫本体内の庫内に、ワクチン、薬品、試料等を収容して低温に維持しつつ保管するものであり、その保存状態を良好に維持するために、保冷庫本体内の庫内温度を所定温度範囲に維持することが必要である（特許文献１参照）。【０００３】
庫内温度を所定の温度に冷却する制御方式の１つとして、庫内設定温度が例えば５℃の設定の場合、庫内温度が温度制御装置に設定した上限温度に上昇したとき冷却装置（電動圧縮機及び冷気循環用ファンを含む）を運転し、庫内温度が温度制御装置に設定した下限温度に低下したとき冷却装置を停止することにより、庫内の平均温度が５℃になるように制御するものがある。【０００４】
また、他の制御方式としては、冷却装置の運転をインバータ制御方式とし、庫内設定温度が５℃の設定の場合、庫内温度が温度制御装置に設定した上限温度に上昇するに従って、冷却装置の運転周波数を高めて高速運転状態とし、庫内温度が温度制御装置に設定した下限温度に降下するに従って、冷却装置の運転周波数を低下して低速運転状態とするように制御される。
【先行技術文献】
【特許文献】
【０００５】
【特許文献１】特開平７−０１９７１７号公報
【発明の概要】
【発明が解決しようとする課題】
【０００６】
上記いずれの方式でも、庫内のすべての領域が設定温度５℃になるようにすることは困難であり、例えば庫内設定温度が５℃の設定の場合、上限温度と下限温度の範囲で変動する庫内の平均温度が５℃になるように制御することとなるが、庫内に保存するものによって庫内温度の変動範囲が規定される。例えば、ワクチンの保存に関しては、各国によって保存温度範囲が規定されており、その１つとして、ある国では、ワクチンの保存を庫内温度５℃で保存する場合、庫内設定温度を５℃±５℃の範囲内で保存することが許されている場合、他のある国ではそれよりも厳しく５℃±３℃の範囲内に維持することが規定されている場合がある。【０００７】
特に、保冷庫本体内の庫内が前面開口形態であって、その前面開口を開閉する扉の一部又は大部分がガラス窓となっている場合、庫内の前面開口付近は、庫内奥側や低部に比して温度が高くなり易い。また、保冷庫本体の前面開口付近や、この扉の前面やガラス窓への露付きを防止するために、これらの部分を加温するために、電気ヒータや冷却装置のホットガスパイプを配置して加熱する手段が講じられており、そのために、庫内の前面開口付近は、庫内奥側や低部に比して温度が高くなり、庫内温度のバラツキが大きくなり、庫内全域を所定の温度範囲に維持することが難しくなる。【０００８】
そこで本開示技術は、扉全体が断熱扉構成である場合は勿論のこと、扉の一部又は大部分がガラス窓となっている場合においても、庫内温度の変動幅が少ない温度制御が要求される薬用保冷庫を提供することを目的とする。
【課題を解決するための手段】
【０００９】
このような目的達成のための有効な技術手段を以下に記載する。
本開示技術の薬用保冷庫は、前面に開口を有する略直方体状であり、断熱性を有する保冷庫本体と、前記開口を開閉可能な扉と、前記保冷庫本体の庫内奥部に、前記保冷庫本体の背壁に沿って縦方向に冷却室を形成する縦仕切り板と、前記冷却室内に収容された冷却器と、前記冷却室内の前記冷却器より高い位置に設けられ、前記冷却器で冷却された冷気を前記庫内に循環する冷気循環用送風機と、を備え、前記縦仕切り板には、前記冷気循環用送風機と対向する位置にあって前記冷気循環用送風機より前記庫内の冷気を吸い込む冷気吸い込み口と、前記冷却器よりも低い左右位置にあって前記庫内前部へ向けて冷気を吹き出す前向き冷気吹き出し口と、前記前向き冷気吹き出し口よりも低い位置にあって前記冷却室の下方から前記庫内底部へ向けて冷気を吹き出す下向き冷気吹き出し口と、が設けられ、前記前向き冷気吹き出し口は、前記前向き冷気吹き出し口から吹き出す冷気循環量が、前記下向き冷気吹き出し口から吹き出す冷気循環量に比して大きくなるように、前記下向き冷気吹き出し口よりも大きく形成される。
【発明の効果】
【００１０】
本開示技術では、扉全体が断熱扉構成である場合は勿論のこと、扉の一部又は大部分がガラス窓となっている場合においても、庫内温度の変動幅が少ない温度制御が要求される薬用保冷庫を提供することができる。
【図面の簡単な説明】
【００１１】
【図１】図１は実施形態に係る薬用保冷庫の正面図である。
【図２】図２は図１のＡ−Ａ断面図である。
【図３】図３は実施形態に係る保冷庫本体内を正面から見た説明図である。
【図４】図４は実施形態に係る下向き冷気吹き出し口部分を正面から見た説明図である。
【図５】図５は実施形態に係る前向き冷気吹き出し口の斜視図である。
【図６】図６は実施形態に係る前向き冷気吹き出し口の縦断側面図である。
【図７】図７は実施形態に係る下向き冷気吹き出し口の縦断側面図である。
【図８】図８は他の実施形態に係る前向き冷気吹き出し口の取り付け状態を説明する背面図である。
【図９】図９は図８のＢ−Ｂ断面図である。
【図１０】図１０は図８のＣ−Ｃ断面図である。
【図１１】図１１は実施形態に係る薬用保冷庫の冷却室を区画する縦仕切り板の正面図である。
【図１２】図１２は既存の薬用保冷庫に採用された吹き出し口部材の取付け状態を示す縦断側面図である。
【発明を実施するための形態】
【００１２】
本開示技術の薬用保冷庫は、扉にて開閉される前面開口の断熱性保冷庫本体内に形成される直方体状の庫内奥部に、前面が縦仕切り板によって覆われた冷却室が前記保冷庫本体の背壁に沿って縦方向に形成され、前記冷却室内には冷却器が収容され、前記冷却器で冷却された冷気が冷気循環用送風機によって前記庫内に循環する薬用保冷庫において、前記縦仕切り板には前記庫内の左右間の中央上部に位置して前記冷却器よりも高い位置に冷気吸い込み口が形成され、前記冷気吸い込み口に対応して前記冷気循環用送風機が配置され、前記縦仕切り板の前記冷却器よりも低い左右位置には、前記庫内前部へ向けて冷気を吹き出す前向き冷気吹き出し口と、この前向き冷気吹き出し口よりも下方位置にあって前記冷却室の下方から前記庫内底部へ向けて冷気を吹き出す下向き冷気吹き出し口とを備え、前記下向き冷気吹き出し口と前記前向き冷気吹き出し口は、前記下向き冷気吹き出し口から吹き出す冷気循環量に比して、前記前向き冷気吹き出し口から吹き出す冷気循環量が大きく形成されることにより、前記庫内の上部から下部に至る温度変化が設定温度に対して所定の温度変化の範囲に収まる構成であり、以下にその実施例を記載する。
【実施例１】
【００１３】
本開示技術に係る薬用保冷庫１は、ワクチン、薬品、試料等を収容して低温に維持しつつ保管するものであり、薬用保冷庫１に収容されるものによって、それを保管する低温は異なるが、例えば、２℃〜１４℃の範囲の温度が維持される冷却性能を有するものを実施例として説明する。【００１４】
図示した本開示技術に係る薬用保冷庫１は、図１及び図２に示すように、フリーザ付き薬用保冷庫１の形態であり、上部に本開示技術に係る薬用保冷庫部分Ｒを配置し、その下側に断熱仕切壁５によって区画したフリーザＦを配置し、最下部に機械室Ｍを配置した構成である。本開示技術に係る薬用保冷庫１は、このようにフリーザ付きの形態であっても、また、フリーザ付きではない形態あってもよい。このため、本開示技術の薬用保冷庫１の対象となる薬用保冷庫部分Ｒについて詳細に記載することとする。【００１５】
以下、本開示技術に係る薬用保冷庫部分Ｒについて詳細に記載する。薬用保冷庫部分Ｒは、図１乃至図３に示すように、前面に開口３を有する縦長直方体状の断熱性保冷庫本体２と、その前面開口３を開閉する断熱性扉４を備え、保冷庫本体２内に形成される縦長の直方体状の庫内２Ａが冷凍装置５０によって所定の低温に維持されるものである。図示の扉４は、前面開口３を左右に開く観音開き式扉４構成であり、左右の扉４は、中央部に縦長の二重または三重の透視ガラスで覆われた断熱性の窓４Ａを備えている。【００１６】
冷凍装置５０は、所定の冷媒を圧縮機６で圧縮し、圧縮された高圧冷媒を凝縮器７で凝縮し、この凝縮冷媒を減圧器（図示せず）にて減圧した後、冷却器８を構成する蒸発器にて蒸発させ、この蒸発後の冷媒を再び圧縮機６で圧縮し凝縮器７で凝縮する循環を行なう公知の冷凍システムである。圧縮機６及び凝縮器７は機械室Ｍに配置され、機械室Ｍに配置した放熱用送風機９によって放熱される。【００１７】
直方体状の庫内２Ａの奥部分には、庫内２Ａの左右幅に亘る大きさの縦仕切り板１０によって覆われた冷却室１１が形成されている。縦仕切り板１０は、保冷庫本体２の背壁２Ｈと並行状態になるよう、庫内２Ａの左右幅に亘って略垂直状態に取付けられている。冷却室１１内には冷却器８が収容され、冷却器８で冷却された冷気が冷気循環用送風機１２によって庫内２Ａに循環する間接冷却方式の構成である。【００１８】
庫内２Ａの温度は、薬用保冷庫１の上部に配置したコントロール部１３に設けた温度制御装置１３Ａによって設定した所定温度になるように、温度制御装置１３Ａに接続された温度検知センサ（図示せず）によって庫内２Ａの温度が検出されつつ、温度制御装置１３Ａによって冷凍装置５０及び冷気循環用送風機１２の運転が制御される仕組みである。この場合、温度制御装置１３Ａによって設定した庫内設定温度（薬用保冷庫１の使用者が任意に設定する温度）を例えば５℃に設定した場合、庫内２Ａの温度は、前記温度検知センサが検出する庫内２Ａの温度によって温度制御装置１３Ａが動作し、冷凍装置５０及び冷気循環用送風機１２の運転が制御され、温度制御装置１３Ａに設定した上限温度と下限温度の範囲で庫内２Ａの温度が変動し、その平均温度が５℃となるように制御されることとなる。【００１９】
本開示技術は、扉４全体が断熱扉構成である場合は勿論のこと、扉の一部又は大部分がガラス窓４Ａとなっている場合においても、例えば設定温度５℃±３℃のように、庫内温度の変動幅が少ない温度制御が要求される薬用保冷庫１を提供することを１つの目的とする。その目的達成のために、庫内２Ａの各領域の温度変化が所定の温度変動幅（例えば設定温度５℃±３℃の範囲内）に収まる構成の冷気循環路構成を提供するものである。【００２０】
上記のように庫内２Ａが前面開口３の形態であって、その前面開口３を開閉する扉４全体が断熱扉構成である場合に比して、その前面開口３を開閉する扉４の一部又は大部分がガラス窓４Ａとなっている場合は、庫内２Ａの前面開口３付近の領域は、庫内２Ａの奥側や低部に比して温度が高くなり易い。また、保冷庫本体２の前面開口３付近や、この扉４の前面やガラス窓４Ａへの露付きを防止するために、これらの部分を加温するために、電気ヒータ１９や冷凍装置５０の高温冷媒ガスパイプ２６を配置して加熱する手段が講じられており、そのために、庫内２Ａの奥側や低部は所定温度範囲に維持できても、庫内２Ａの前面開口３付近は庫内２Ａの奥側や低部に比して温度が高くなり、庫内２Ａの温度のバラツキが大きくなり、庫内２Ａの全域を所定の温度範囲（実施例では５℃±３℃）に維持することが難しくなる。【００２１】
そのため、本開示技術では、庫内２Ａが所定の温度範囲、例えば、庫内設定温度を５℃に設定した場合、５℃±３℃の範囲内に維持するようにするために、庫内２Ａの冷気循環に特別な構成を採用するものである。図３等に示すように、縦仕切り板１０には庫内２Ａの左右間の中央上部に位置して冷却器８よりも高い位置に冷気吸い込み口１５が形成され、冷気吸い込み口１５に対応して冷気循環用送風機１２が配置されている。また、縦仕切り板１０の冷却器８よりも低い左右位置には、庫内２Ａの前部へ向けて冷気を吹き出す前向き冷気吹き出し口１６が左右に形成され、更にこの前向き冷気吹き出し口１６よりも下方位置には、冷却室１１の下方から庫内２Ａの底部へ向けて冷気を吹き出す下向き冷気吹き出し口１７を形成している。縦仕切り板１０が庫内２Ａの下端よりも上方位置で終わっているのは、庫内２Ａの下部に冷却室１１の奥行き寸法分だけ広い庫内部を形成し、庫内２Ａの収容容積を広くとるためである。【００２２】
このための好ましい形態として、庫内２Ａの上下寸法を４等分し、上から第１領域、第２領域、第３領域、第４領域と呼称する場合、第３領域に左右の前向き冷気吹き出し口１６、１６と、下向き冷気吹き出し口１７が配置されている。ただし、少なくとも前向き冷気吹き出し口１６、１６の一部と下向き冷気吹き出し口１７が庫内２Ａの上下間中央より低い位置に設けられると効果的である。また、左右の前向き冷気吹き出し口１６、１６は、冷気吸い込み口１５の真下を外れた左右位置に形成されている。また、下向き冷気吹き出し口１７は、冷気吸い込み口１５の真下に対応する中央吹き出し部１７Ｂと、左右の前向き冷気吹き出し口１６、１６の下方に対応する左右吹き出し部１７Ａとを有しており、吹き出す冷気が保冷庫本体２の背壁２Ｈに沿って縦方向に向かう構成である。【００２３】
また、下向き冷気吹き出し口１７と前向き冷気吹き出し口１６は、下向き冷気吹き出し口１７から吹き出す冷気循環量に比して、前向き冷気吹き出し口１６から吹き出す冷気循環量が大きく形成される構成であり、庫内２Ａの上部領域と下部領域の温度斑が少なくなり、庫内２Ａの上部から下部に至る全ての領域の温度変化が、設定温度（実施例では５℃）に対して所定の温度変化の範囲（実施例では±３℃）に収まる構成としている。【００２４】
そのための一つの構成として、図５及び図６に示すように、前向き冷気吹き出し口１６には、吹き出す冷気の向きが斜め上方となるように、上下に所定間隔を保ち左右方向に並行に延びた複数の風向板１８Ａを配置した吹き出し口部材１８を備えている。吹き出し口部材１８は、所定角度で斜め上方に向くよう左右が枠部１８Ｂに固定された複数の風向板１８Ａを備えている。この風向板１８Ａは上向き傾斜で配置され、図２に幅Ｌ５で示すように、その上向き傾斜の延長線上が扉４の中間部から上部までの領域に対応する向きの構成である。【００２５】
このための構成として、図５及び図６に示すように、下部の風向板１８Ａよりもその上方の風向板１８Ａの庫内２Ａ側への張り出しが徐々に長くなる構成である。これによって、冷却室１１を下方へ流下する冷気の一部が、各風向板１８Ａに沿って扉４の中間部から上部までの領域に対応する向きに斜め上方に向けて庫内２Ａへ吹き出される。この場合、最上部の風向板１８Ａ１の前方ヘの張り出しによって、吹き出す冷気が前方へ誘導されることとなり、前向き冷気吹き出し口１６から吹き出す冷気が冷気吸い込み口１５へ吸い込まれるまでの通路が長くなり、前向き冷気吹き出し口１６から吹き出す冷気が、直ちに冷気吸い込み口１５へ吸い込まれる所謂ショートサーキットが防止され、庫内２Ａを均一に冷却する目的において好ましいものとなる。【００２６】
また、図４及び図７に示すように、下向き冷気吹き出し口１７は、吹き出す冷気が保冷庫本体２の背壁２Ｈに沿って縦方向に向かう構成であって、左右の前向き冷気吹き出し口１６の下方に対応する左右吹き出し部１７Ａが、前後方向の開口が大きく形成されており、且つ左右の前向き冷気吹き出し口１６、１６間に対応する中央吹き出し部１７Ｂは、前後方向の開口が狭く形成されている。これは、冷気循環用送風機１２によって冷却器８を通過しつつ冷却室１１を下方へ流れる冷気は、中央部では冷気吹き出し口１６、１６間を下方へ流れて中央吹き出し部１７Ｂから下方へ吹き出し、左右部では大半が冷気吹き出し口１６、１６から吹き出すと共に残りの量が左右吹き出し部１７Ａから下方へ吹き出す。これは、中央吹き出し部１７Ｂから下方へ吹き出す冷気量と左右吹き出し部１７Ａから下方へ吹き出す冷気量が略均衡することにより、下向き冷気吹き出し口１７の左右全幅から吹き出す冷気量が、庫内２Ａの左右幅に亘って略均衡し、下向き冷気吹き出し口１７付近及び庫内２Ａの下部領域の温度が略均一化されるように考慮した構成である。【００２７】
上記の実施形態の一つとして、図１及び図２に示すように、庫内２Ａは、上下の寸法が略８９４ｍｍであり、左右幅が略８１０ｍｍである。また、図１１に示すように、縦仕切り板１０は、上下寸法が略６５０ｍｍであり、左右寸法は庫内２Ａの左右幅と同等または若干小さい略８００ｍｍであり、上端がシール材を介して庫内２Ａの上壁２Ｕに当接し、左右端がシール材を介して庫内２Ａの左右壁２Ｒ、２Ｌに当接した状態に配置されている。また、前面開口３から縦仕切り板１０までの奥行き寸法は略５６５ｍｍであり、これに冷却室１１の前後の厚さ分が奥行きに加わることとなる縦仕切り板１０の存在しない庫内２Ａの下部部分の奥行き寸法は、略６１５ｍｍである大きさである。縦仕切り板１０が庫内２Ａの上下寸法に亘る長さでないのは、庫内２Ａの下部に冷却室１１の奥行き寸法分だけ広い庫内部を形成するためである。【００２８】
また、冷気吸い込み口１５は、縦仕切り板１０の左右間の中央部に位置し、縦仕切り板１０の上端から略６０ｍｍの位置より下方に略１２５ｍｍの正方形状の孔で形成されている。また、左右の前向き冷気吹き出し口１６、１６は、上下寸法が略７０ｍｍ、左右幅が略１３０ｍｍの横長四角形の孔で形成されており、その孔の下端が縦仕切り板１０の下端から略９０ｍｍの位置において、冷気吹き出し口１６、１６である孔間は２６０ｍｍであり、そのためこの孔の中心部が縦仕切り板１０の左右間の中央に対し、それぞれ略１９５ｍｍの位置となる左右対称配置である。これによって、冷気吸い込み口１５の真下を外れた領域に左右の前向き冷気吹き出し口１６、１６が配置され、冷気吸い込み口１５の真下に対応して中央吹き出し部１７Ｂが配置され、左右の前向き冷気吹き出し口１６、１６の下方に対応して左右吹き出し部１７Ａが配置された状態である。冷気吸い込み口１５の前面には、縦仕切り板１０に吸い込みカバー１５Ａが取付けられている。また、左右の冷気吹き出し口１６、１６には、それぞれ吹き出し口部材１８が取付けられている。【００２９】
更に、下向き冷気吹き出し口１７は、図４及び図７等に示すように、縦仕切り板１０の左右寸法の略８００ｍｍのうち、左右両側の左右吹き出し部１７Ａは、左右幅が２７５ｍｍであって前後方向の吹き出し口幅が５〜６ｍｍである。また、左右吹き出し部１７Ａ間の中央吹き出し部１７Ｂは、左右幅が２５０ｍｍであって前後方向の吹き出し口幅が２〜３ｍｍである。この左右吹き出し部１７Ａの前後方向の吹き出し口厚さ（５〜６ｍｍ）は、縦仕切り板１０の下端全体を後方へ略９０度で屈曲する屈曲辺１０Ｈと保冷庫本体２の背壁２Ｈとの間隔によって形成され、中央吹き出し部１７Ｂの前後方向の吹き出し口幅（２〜３ｍｍ）の間隔は、屈曲辺１０Ｈに取付けた調整板１０Ｃと保冷庫本体２の背壁２Ｈとの間隔によって形成される。なお、中央吹き出し部１７Ｂは、その左右両端がそれぞれ左右吹き出し部１７Ａに連通しているが、連通しないように区画壁で区分された状態でもよい。【００３０】
このような構成によって、実施形態の一つでは、冷気循環用送風機１２によって循環される冷気量のうち、その略三分の二が左右の前向き冷気吹き出し口１６、１６から吹き出し、略三分の一が下向き冷気吹き出し口１７から吹き出す。この下向き冷気吹き出し口１７から吹き出す略三分の一の冷気量は、左右吹き出し部１７Ａ及び中央吹き出し部１７Ｂの部分から略均衡した量が吹き出す状態となる。この結果、庫内２Ａの上部から下部に至る全ての領域の温度変化が、設定温度（実施例では５℃）に対して所定の温度変化の範囲（実施例では±３℃）に収まる状態となる。【００３１】
次に、本開示技術に係るもう一つの実施形態の吹き出し口構成を説明する。これは、例えば設定温度５℃±３℃のように、庫内温度の変動幅が少ない温度制御が要求される薬用保冷庫を提供するに当たり、庫内温度の変動範囲が５℃±５℃のように、比較的緩い温度制御の薬用保冷庫が先行販売されている場合、この先行（既存）の薬用保冷庫の吹き出し口部材１８を有効利用することにより、新規金型の製作費を押え、低コスト化を達成できると共に、設定温度５℃±３℃のように、庫内温度の変動幅が少ない温度制御が要求される薬用保冷庫１を提供するものである。【００３２】
具体的には、図８〜図１０に示すように、前記先行の薬用保冷庫の吹き出し口部材１８は、前後方向の厚さがＬ１の矩形状をなし、この厚さＬ１の中に、所定の斜め上向き角度α１でもって、斜め上向きの複数の風向板１８Ａが、上下に所定間隔を保ち左右方向に並行に、左右端部が枠部１８Ｂに固定された合成樹脂製である。【００３３】
この吹き出し口部材１８をそのまま（後述の角度変更部材２０を設けない状態）前記先行の薬用保冷庫に取付けた状態と同様に、図１２に示すように、略垂直状態の縦仕切り板１０に略垂直状態になるように、縦仕切り板１０に形成した前向き冷気吹き出し口１６に取り付ける方法もある。この方法では吹き出し口部材１８から上向きに庫内２Ａへ吹き出される冷気の吹き出し方向が仰角α１であり、これは前記先行の薬用保冷庫においては好ましい角度であったが、本開示技術が対象とする設定温度５℃±３℃のように、庫内温度の変動幅が少ない温度制御が要求される薬用保冷庫１においては、所定の温度変動幅に収めることができない。仰角α１は、水平面ＰＬ（縦仕切り板１０が垂直状態である場合、図１２の取付け状態では、これに対して９０度の角度となる水平面）に対する上向き角度で表される。【００３４】
このため、本開示技術では、前記先行の薬用保冷庫に採用された吹き出し口部材１８を利用することを前提として、風向板１８Ａによる冷気吹き出し方向を好ましい状態に設定する手段を採用することにより、庫内温度の変動幅が少ない温度制御が要求される薬用保冷庫１を提供するものである。【００３５】
本開示技術では、風向板１８Ａが斜め上向きの所定角度（仰角α１）よりも少ない斜め上向き角度（仰角α２）になるように、前向き冷気吹き出し口１６の周縁に全周が当接する角度変更部材２０を介して前向き冷気吹き出し口１６に取り付けるものである。このため、角度変更部材２０は下部に対して上部が庫内２Ａ側へ張り出した形状であり、前向き冷気吹き出し口１６の周縁に全周が当接するように角度変更部材２０が取付けられ、且つ角度変更部材２０の前面に吹き出し口部材１８が取付けられることによって、風向板１８Ａの斜め上向き角度である仰角α１が、所定角度よりも少ない斜め上向き角度（仰角α２）に変更される。仰角α１は、水平面ＰＬ（縦仕切り板１０が垂直状態である場合、図１２の取付け状態では、これに対して９０度の角度となる水平面）に対する上向き角度で表され、角度変更部材２０によって小さい仰角に変更されたものが、仰角α２である。【００３６】
前向き冷気吹き出し口１６への吹き出し口部材１８の取付けは、図８〜図１０に示すように、前向き冷気吹き出し口１６の前面側において、その周縁に全周が当接するように角度変更部材２０を配置し、角度変更部材２０の前面に前向き冷気吹き出し口１６を当接し、図８に示すように、縦仕切り板１０の裏側に左右に取り付け板２１を配置し、この状態で、取り付け板２１を貫通する取付けネジ２２を吹き出し口部材１８の左右フランジ部１８Ｆから後方へ延びる取付けボス１８Ｅに螺合する。これによって図９及び図１０に示すように、吹き出し口部材１８及び角度変更部材２０が縦仕切り板１０に向けて引き寄せられつつ、前向き冷気吹き出し口１６に吹き出し口部材１８が安定した状態に固定される。【００３７】
これによって、図１０に示すように、吹き出し口部材１８から上向きに庫内２Ａへ吹き出される冷気の吹き出し方向が、斜め上向きの所定角度α１よりも少ない斜め上向き角度α２に変更された状態となり、庫内２Ａへ向けて斜め上方へ吹き出される冷気の吹き出し角度が小さい状態に修正される。これと共に、下部の風向板１８Ａよりもその上方の風向板１８Ａの庫内２Ａ側への張り出しが徐々に長くなる構成となり、冷却室１１を下方へ流下する冷気の一部が、各風向板１８Ａに沿って好ましい角度α２で、扉４の中間部から上部の範囲に向かって、斜め上方に向けて庫内２Ａへ吹き出される。【００３８】
この場合、最上部の風向板１８Ａ１の前方ヘの張り出しによって、吹き出す冷気が前方へ誘導されることとなり、前向き冷気吹き出し口１６から吹き出す冷気が冷気吸い込み口１５へ吸い込まれるまでの通路が長くなり、前向き冷気吹き出し口１６から吹き出す冷気が、ショートサーキットによって冷気吸い込み口１５へ吸い込まれることが防止され、庫内２Ａを均一に冷却する目的において好ましいものとなり、庫内２Ａの上部から下部に至る全ての領域の温度変化が、設定温度（実施例では５℃）に対して所定の温度変化の範囲（実施例では±３℃）に収まる状態となる。【００３９】
上記実施形態の薬用保冷庫１において、好ましい形態の一例として、図１２に示すように、吹き出し口部材１８自体において、所定角度（仰角α１）で斜め上方に向く複数の風向板１８Ａによって吹き出される冷気の吹き出し角度は、実施例では仰角α１が３６度である。一方、図９及び図１０に示すように、角度変更部材２０によって小さい状態に変更された角度は、実施例では仰角α２を２９度とすることによって、扉４の中間部から上部の範囲に向けて冷気を良好に斜め上向きに吹き出すことができる。このように吹き出し口部材１８から斜め上向きに庫内２Ａへ吹き出される冷気は、ショートサーキットによって冷気吸い込み口１５へ吸い込まれることが防止され、庫内２Ａの上部から下部に至る全ての領域の温度変化が、設定温度（実施例では５℃）に対して所定の温度変化の範囲（実施例では±３℃）に収まる状態となる。【００４０】
上記のように、設定温度５℃±３℃のように、庫内温度の変動幅が少ない温度制御が要求される新規の薬用保冷庫１を提供するに当たり、庫内温度の変動範囲が５℃±５℃のように、比較的緩い温度制御の薬用保冷庫１が先行販売されている場合、この先行する薬用保冷庫１に使用されている合成樹脂製の吹き出し口部材１８と同じものを利用して、前記新規の薬用保冷庫１に適用することにより、前記新規の薬用保冷庫１の低コスト化を図ることができる。【００４１】
このために、上記のように、角度変更部材２０を作製し、これを介して図８〜図１０に示すような先行する薬用保冷庫１に採用されている吹き出し口部材１８を取付けることにより、新規の薬用保冷庫１のために吹き出し口部材１８を新規に作製する必要がなく、吹き出し口部材１８を成形する金型の製作費を押え、低コスト化を達成できることとなり、それによって、設定温度５℃±３℃のように、庫内温度の変動幅が少ない温度制御が要求される薬用保冷庫１を提供することができるものとなる。【００４２】
上記実施形態では、フリーザ付き薬用保冷庫１の形態であり、薬用保冷庫部分Ｒを冷却する冷却器８に並列にフリーザＦを冷却する冷却器を備えた冷凍装置５０である。薬用保冷庫部分Ｒは、上記のように、冷却器８で冷却された冷気が冷気循環用送風機１２によって庫内２Ａに循環する間接冷却方式であるが、フリーザＦは−２０℃乃至−３０℃の低温に冷却されるものであり、フリーザＦを冷却する冷却器は、フリーザＦの内側壁の全部または一部を形成するように構成した、所謂、直接冷却方式を採用していて、フリーザＦの前面開口は左右に開く観音開き式扉２５にて開閉される構成である。【００４３】
ここで本開示技術に係る薬用保冷庫の効果等について説明する。
本開示技術の薬用保冷庫１は、前面に前面開口３を有する略直方体状であり、断熱性を有する保冷庫本体２と、前面開口３を開閉可能な扉４と、保冷庫本体２の庫内２Ａ奥部に、保冷庫本体２の背壁２Ｈに沿って縦方向に冷却室１１を形成する縦仕切り板１０と、冷却室１１内に収容された冷却器８と、冷却室１１内の冷却器８より高い位置に設けられ、冷却器８で冷却された冷気を庫内２Ａに循環する冷気循環用送風機１２と、を備える。縦仕切り板１０には、冷気循環用送風機１２と対向する位置にあって冷気循環用送風機１２より庫内２Ａの冷気を吸い込む冷気吸い込み口１５と、冷却器８よりも低い左右位置にあって庫内２Ａ前部へ向けて冷気を吹き出す左右の前向き冷気吹き出し口１６と、前向き冷気吹き出し口１６よりも低い位置にあって冷却室１１の下方から庫内２Ａ底部へ向けて冷気を吹き出す下向き冷気吹き出し口１７と、が設けられ、前向き冷気吹き出し口１６は、前向き冷気吹き出し口１６から吹き出す冷気循環量が、下向き冷気吹き出し口１７から吹き出す冷気循環量に比して大きくなるように、下向き冷気吹き出し口１７よりも大きく形成される。【００４４】
本開示技術では、扉４全体が断熱扉構成である場合は勿論のこと、扉４の一部又は大部分がガラス窓となっている場合でも、庫内２Ａの各領域の温度が例えば設定温度±３℃のように、所定の温度変動幅に収まる構成の冷気循環路構成となり、庫内２Ａの各領域の温度変動が少ない状態を形成でき、庫内温度の変動幅が少ない温度制御が要求される薬用保冷庫が達成できるため、ワクチン等の冷却保存に適した薬用保冷庫として好ましいものとなる。【００４５】
また、前向き冷気吹き出し口１６に取り付けられ、前向き冷気吹き出し口１６から吹き出す冷気を規制する複数の風向板１８Ａを有する吹き出し口部材１８を備え、前向き冷気吹き出し口１６は、少なくとも一部が庫内２Ａの上下間中央より低い位置に設けられ、複数の風向板１８Ａは、吹き出す冷気の向きが斜め上方となるように、扉４の上下間中央より上部へ向かって所定の角度で傾斜している。【００４６】
これにより、さらに、庫内２Ａ温度の変動幅が少ない温度制御が要求される薬用保冷庫１が達成できるため、ワクチン等の冷却保存に適した薬用保冷庫として好ましいものとなる。【００４７】
また、下向き冷気吹き出し口１７は、左右全幅から吹き出す冷気量が庫内２Ａの左右幅に亘って略均衡するように、左右の前向き冷気吹き出し口１６に対応する下方部分が大きく且つ左右の前向き冷気吹き出し口１６間に対応する部分が狭く形成されている。【００４８】
これにより、下向き冷気吹き出し口１７の左右全幅から吹き出す冷気量が、庫内２Ａの左右幅に亘って略均衡する状態となり、庫内２Ａの底部の冷えすぎを防止することができる。【００４９】
また、複数の風向板１８Ａは、下部の風向板１８Ａよりもその上方の風向板１８Ａの庫内２Ａ側への張り出しが徐々に長くなるように形成されている。【００５０】
これにより、最上部の風向板１８Ａの前方ヘの張り出しによって、吹き出す冷気が前方へ誘導されることとなり、前向き冷気吹き出し口１６から吹き出す冷気が冷気吸い込み口へ吸い込まれるまでの通路が長くなり、前向き冷気吹き出し口１６から吹き出す冷気が、ショートサーキットによって冷気吸い込み口へ吸い込まれることが防止され、庫内２Ａを均一に冷却する目的において好ましいものとなる。【００５１】
また、前向き冷気吹き出し口１６と吹き出し口部材１８との間に設けられる角度変更部材２０を備え、角度変更部材２０は、複数の風向板１８Ａの傾斜角度が所定の角度より下向きに変更された角度を保つ状態で、角度変更部材２０の全周が前向き冷気吹き出し口１６の周縁に当接して前向き冷気吹き出し口１６に取り付けられる。【００５２】
これにより、既に製造販売している薬用保冷庫に使用されている既存の吹き出し口部材１８を利用するために、角度変更部材２０を介してこの既存の吹き出し口部材１８を前向き冷気吹き出し口１６に取り付けることにより、薬用保冷庫の低コスト化を図ることができる。【００５３】
また、前向き冷気吹き出し口１６は、冷気吸い込み口の真下を外れた左右位置にそれぞれ形成され、下向き冷気吹き出し口１７は、冷気吸い込み口の真下に対応する中央吹き出し部１７Ｂと、左右の前向き冷気吹き出し口１６の下方に対応する左右吹き出し部１７Ａと、を有し、左右の前向き冷気吹き出し口１６と下向き冷気吹き出し口１７とは、庫内２Ａの上下寸法を４等分したときの上から３番目の第３領域に配置される。【００５４】
これにより、冷気循環用送風機１２によって冷却器８を通過しつつ冷却室１１を下方へ流れる冷気は、中央部では左右の前向き冷気吹き出し口１６間を下方へ流れて中央吹き出し部１７Ｂから下方へ吹き出し、左右部では大半が左右の前向き冷気吹き出し口１６から吹き出すと共に、残りの量が左右吹き出し部１７Ａから下方へ吹き出す。これによって、中央吹き出し部１７Ｂから下方へ吹き出す冷気量と左右吹き出し部１７Ａから下方へ吹き出す冷気量が略均衡することにより、下向き冷気吹き出し口１７の左右全幅から吹き出す冷気量が、庫内２Ａの左右幅に亘って略均衡し、下向き冷気吹き出し口１７付近及び庫内２Ａの下部領域の温度が略均一化されるようになる。
【符号の説明】
【００５５】
１・・・・・・薬用保冷庫
２・・・・・・断熱性保冷庫本体
２Ａ・・・・・庫内
３・・・・・・前面開口
４・・・・・・扉
４Ａ・・・・・ガラス窓
５・・・・・・断熱仕切壁
６・・・・・・圧縮機
７・・・・・・凝縮器
８・・・・・・冷却器
９・・・・・・放熱用送風機
１０・・・・・縦仕切り板
１１・・・・・冷却室
１２・・・・・冷気循環用送風機
１３・・・・・コントロール部
１５・・・・・冷気吸い込み口
１６・・・・・前向き冷気吹き出し口
１７・・・・・下向き冷気吹き出し口
１７Ａ・・・・左右吹き出し部
１７Ｂ・・・・中央吹き出し部
１８・・・・・吹き出し口部材
１８Ａ・・・・風向板
２０・・・・・角度変更部材
２１・・・・・取り付け板
２２・・・・・取付けネジ
５０・・・・・冷凍装置
【図１】
0006007239.tif 000002
【図２】
0006007239.tif 000003
【図３】
0006007239.tif 000004
【図４】
0006007239.tif 000005
【図５】
0006007239.tif 000006
【図６】
0006007239.tif 000007
【図７】
0006007239.tif 000008
【図８】
0006007239.tif 000009
【図９】
0006007239.tif 000010
【図１０】
0006007239.tif 000011
【図１１】
0006007239.tif 000012
【図１２】
0006007239.tif 000013